(57)【要約】【課題】  強度を維持して軽量化を図り、取り扱いやすく、且つ電気温水器の種類に関係なく一種類の基礎ブロックで対応が可能な組立式基礎ブロックを提供する。【解決手段】  電気温水器を載置する組立式基礎ブロックにおいて、組立式基礎ブロックは、上部用２枚および下部用２枚の基礎ブロックで構成され、各々の基礎ブロックは、Ｌ型形状を有し、下部用の２枚の基礎ブロックが矩形に組み合わされ、その上に上部用の２枚の基礎ブロックが、９０度回転して上下互いの接触側面が重ならないように矩形に組み合わされて成る。【選択図】      図２
2005351010.tif 000002
【特許請求の範囲】
【請求項１】
電気温水器を載置する組立式基礎ブロックにおいて、
前記組立式基礎ブロックは、上部用２枚および下部用２枚の基礎ブロックで構成され、
各々の前記基礎ブロックは、Ｌ型形状を有し、
前記下部用の２枚の前記基礎ブロックが矩形に組み合わされ、その上に前記上部用の２枚の前記基礎ブロックが、９０度回転して上下互いの接触側面が重ならないように前記矩形に組み合わされて成ることを特徴とする組立式基礎ブロック。
【請求項２】
請求項１に記載の組立式基礎ブロックにおいて、
前記Ｌ型形状の基礎ブロックが、４つの矩形と１つの直線形状とからなる補強材を内蔵することを特徴とする組立式基礎ブロック。
【請求項３】
請求項２に記載の組立式基礎ブロックにおいて、
前記４つの矩形が正方形であることを特徴とする組立式基礎ブロック。
【請求項４】
請求項１乃至３のいずれかに記載の組立式基礎ブロックにおいて、
前記基礎ブロックの上下平面は、特定の位置に既設されたアンカーボルト孔を有せず、
前記電気温水器の固定において、前記温水器で決まる３箇所以上の固定位置で、且つ前記上部用の基礎ブロックおよび前記下部用の基礎ブロックの前記補強材の矩形内に空けられる前記アンカーボルト孔を有することを特徴とする組立式基礎ブロック。
【請求項５】
請求項１乃至４のいずれかに記載の組立式基礎ブロックにおいて、
前記Ｌ型形状の基礎ブロックの側面が、把手を有することを特徴とする組立式基礎ブロック。
【請求項６】
請求項５に記載の組立式基礎ブロックにおいて、
前記把手が、前記Ｌ型形状の対向する上辺と底辺に位置する側面に設けられることを特徴とする組立式基礎ブロック。
【請求項７】
請求項１乃至６のいずれかに記載の組立式基礎ブロックにおいて、
前記Ｌ型形状の基礎ブロックの重量が、３５Ｋｇ以下であることを特徴とする組立式基礎ブロック。
【発明の詳細な説明】
【技術分野】
【０００１】
本発明は、電気温水器を屋外に設置するための基礎工事に関し、詳しくは電気温水器を載置する組立式基礎ブロックに関する。
【背景技術】
【０００２】
従来においては、特許文献１に記載されているような、工事期間の短縮を目的とした温水器設置用基礎ブロックが知られている。しかしながら実際の現場では、器材の運搬から設置作業までを一人で行う場合が多いため、基礎ブロックの強度を維持しながら軽量化を図る必要があった。また基礎ブロックを、電気温水器の種類に合わせて準備することはコスト高となり、管理上も複雑となることから、トータルコストを下げる工夫が必要であった。さらに軽量化だけでなく、運搬および作業時の能率を上げるため、持ち運びや設置作業における取り扱い易さの工夫も必要であった。
【特許文献１】特許第３０７９４２２号公報
【発明の開示】
【発明が解決しようとする課題】
【０００３】
本発明は、このような問題を解決するためになされたものであり、強度を維持して軽量化を図り、取り扱いやすく、且つ電気温水器の種類に関係なく一種類の基礎ブロックで対応が可能な組立式基礎ブロックを提供することを目的とする。
【課題を解決するための手段】
【０００４】
本発明の組立式基礎ブロックは、電気温水器を載置する組立式基礎ブロックにおいて、
前記組立式基礎ブロックは、上部用２枚および下部用２枚の基礎ブロックで構成され、
各々の前記基礎ブロックは、Ｌ型形状を有し、
前記下部用の２枚の前記基礎ブロックが矩形に組み合わされ、その上に前記上部用の２枚の前記基礎ブロックが、９０度回転して上下互いの接触側面が重ならないように前記矩形に組み合わされて成ることを特徴とする。
【０００５】
前記組立式基礎ブロックにおいて、前記Ｌ型形状の基礎ブロックが、４つの矩形と１つの直線形状とからなる補強材を内蔵することを特徴とする。
【０００６】
前記組立式基礎ブロックにおいて、前記４つの矩形が正方形であることを特徴とする。
【０００７】
前記組立式基礎ブロックにおいて、前記基礎ブロックの上下平面は、特定の位置に既設されたアンカーボルト孔を有せず、
前記電気温水器の固定において、前記温水器で決まる３箇所以上の固定位置で、且つ前記上部用の基礎ブロックおよび前記下部用の基礎ブロックの前記補強材の矩形内に空けられる前記アンカーボルト孔を有することを特徴とする。
【０００８】
前記組立式基礎ブロックにおいて、前記Ｌ型形状の基礎ブロックの側面が、把手を有することを特徴とする。
【０００９】
前記組立式基礎ブロックにおいて、前記把手が、前記Ｌ型形状の対向する上辺と底辺に位置する側面に設けられることを特徴とする。
【００１０】
前記組立式基礎ブロックにおいて、前記Ｌ型形状の基礎ブロックの重量が、３５Ｋｇ以下であることを特徴とする。
【発明の効果】
【００１１】
本発明の組立式基礎ブロックによれば、強度を維持して軽量化が図られ、取り扱いやすく、且つ電気温水器の種類に関係なく一種類の基礎ブロックで対応が可能な組立式基礎ブロックが提供できる。
【発明を実施するための最良の形態】
【００１２】
本発明による実施の形態について図を用いて説明する。図１は、本発明の実施例を示す基礎ブロックの平面図である。Ｌ型形状の基礎ブロック１の内部に、４つの矩形２と１つの直線形状３とからなる補強材が埋め込まれている。
【００１３】
図２は、本発明の組立式基礎ブロックの組立の手順を示す斜視図である。下部用基礎ブロック１ａおよび１ｂは、砕石７および砂６の上に接触側面１ｅで接触して矩形に組まれ、その接触側面１ｅの上に上部用基礎ブロック１ｃおよび１ｄ（図示せず）がそれぞれ重ねられて、組み上げられる。基礎ブロック１ａ乃至１ｄの全てのＬ型形状の対向する上辺と底辺に位置する側面には、把手４が設けられている。また４枚の基礎ブロック１ａ〜１ｄが組み上げられた後で穿孔されるアンカーボルト孔５が記されている。
【００１４】
図３は、図２のＡ−Ａ線断面図である。地盤８に、電気温水器を設置するに必要な組立基礎ブロックの設置部分の掘削、整地および突き固めが行われる。そこに設置部分が安定するよう、砕石７が１００ｍｍの厚さ敷かれ、その上に砂６が２０ｍｍの厚さに敷き固められる。厚さ５０ｍｍの基礎ブロック１は、把手４を用いて運ばれ、図２に示されるように、下部用基礎ブロック１ａと１ｂとを接触側面１ｅが形成されるよう矩形に設置される。その上に、下部用基礎ブロックの接触側面１ｅがＬ型形状で隠れるように、把手４を用いて、上部用基礎ブロック１ｃおよび１ｄが重ね上げられる。即ち下部用基礎ブロック１ａ、１ｂと上部用基礎ブロック１ｃ、１ｄとは、互いに９０度回転し、接触側面（継ぎ目）１ｅが重ならないように設置される。
【００１５】
次にＭ１２のアンカーボルト孔５を穿孔するために、設置される電気温水器に応じてアンカーボルト位置が印される（本実施例では基礎ブロック１の側面から６０ｍｍ以上離す）。続いて、上部ブロック１ｃおよび１ｄと、下部用基礎ブロック１ａおよび１ｂとがずれないように、アンカーボルト孔５が、電気ドリルにより穿孔される。孔内には樹脂系カプセルが挿入され、ケミカルアンカーボルトで、上部ブロック１ｃおよび１ｄと下部用基礎ブロック１ａおよび１ｂとを固定する。
【００１６】
４枚の組立式の基礎ブロック１がそれぞれ組み上げられて生じた中心部の孔は、モルタル等で埋め戻され、水平が確認される。樹脂系カプセル中の樹脂系セッターは、常温（２０℃）において３０分で硬化し、１０℃においても２時間で硬化が可能である。
【００１７】
ところで電気温水器は、利用目的に応じていくつかの種類があり、その大きさと貯水した場合の総合重量から、固定用のアンカーボルトの位置と数量は様々である。また基礎ブロック１を１人で運搬できるよう３５Ｋｇ以下の重量に減らすため、厚みを５０ｍｍに薄くしていくと強度が低下し、図１に示されるように、矩形２および直線形状３の補強材を入れる必要が生じてくる。この補強材２、３は、想定される温水器の最大重量に耐える構造にする必要がある。
【００１８】
ところが電気温水器の固定用アンカーボルトの数に関しては、３〜４箇所であることが一般的である。しかもその取り付け位置は、それぞれの電気温水器に固有ではあるが、一定の矩形の範囲内に収まっているといえる。従って補強材である４つの矩形２は、所定の強度を保ち、かつアンカーボルトの位置がこの矩形内に収まるように配置されている。またＬ型形状の内角側の補強として挿入されている直線形状３の補強材も、所定の強度を保ち、かつアンカーボルトの位置と交差しないように配置されている。
【００１９】
図１乃至図３で説明した基礎ブロック１の組立手順、固定用部材および数値は、必ずしも本発明を限定するものではなく、本発明を実現する手段であれば、いかなる工程変更、部材変更および設計変更も可能である。
【００２０】
以上説明したように、基礎ブロック１の強度を維持しながら３５Ｋｇ以下の軽量化を図ることにより、器材の運搬から設置作業までを一度に一人で行うことが可能となる。また基礎ブロック１を組み上げた後、アンカーボルト孔５を空けることができるため、電気温水器の種類に合わせて基礎ブロック１を準備する必要が無く、管理上も簡単となることから、トータルコストを下げることができる。さらに軽量化だけでなく、持ち運びや設置作業がし易い把手４により、運搬および作業時の能率を上げることが可能となる。
【図面の簡単な説明】
【００２１】
【図１】本発明による基礎ブロックの平面図。
【図２】本発明の組立式基礎ブロックの組立の手順を示す斜視図。
【図３】図２のＡ−Ａ線断面図。
【符号の説明】
【００２２】
１  基礎ブロック（１ａ、１ｂ、１ｃ、１ｄ）
２  矩形補強材
３  直線形状補強材
４  把手
５  アンカーボルト孔
６  砂
７  砕石
８  地盤
【図１】
2005351010.tif 000003
【図２】
2005351010.tif 000004
【図３】
2005351010.tif 000005